(57)【要約】      （修正有）【課題】オイル面の変動を抑制するとともに、クランク軸または変速機のフリクションの増大を抑制しながらオイルポンプのエア噛みの発生を防止することができる内燃機関のクランクケース構造を供する。【解決手段】クランクケースの下方にオイルパン２ｐを備えた内燃機関のクランクケース構造において、オイルパン２ｐに適正量貯留されるオイルの機関停止時のオイル面Ｓの下方を上下に仕切る下側隔壁61Ｒ，62Ｒが、ケース外周壁２Rｓからケース内空間に向けて延出して形成され、前記下側隔壁と所定の間隔を空けた上方であって前記クランク軸または前記変速機の少なくとも一方の下方を上下に仕切る上側隔壁65Ｒ，66Ｒが、ケース外周壁２Rｓからケース内空間に向けて延出して形成される内燃機関のクランクケース構造。【選択図】図５
2011163249.tif 000002
【特許請求の範囲】
【請求項１】
相対向する一対の鉛直軸受壁に両側部を軸支されてクランク軸が架設され、前記一対の鉛直軸受壁とケース外周壁とで囲まれたケース内空間にカウンタウエイトを備えるクランクウエブとともに歯車列を備えた変速機が配設されるクランクケースの下方にオイルパンを備えた内燃機関のクランクケース構造において、
前記オイルパンに適正量貯留されるオイルの機関停止時のオイル面の下方を上下に仕切る下側隔壁が、前記ケース外周壁から前記ケース内空間に向けて延出して形成され、
前記下側隔壁と所定の間隔を空けた上方であって前記クランク軸または前記変速機の少なくとも一方の下方を上下に仕切る上側隔壁が、前記ケース外周壁から前記ケース内空間に向けて延出して形成されることを特徴とする内燃機関のクランクケース構造。
【請求項２】
前記ケース内空間の前記変速機が配設される側の前記変速機の上方にブリーザ室が形成され、
前記ブリーザ室の下部に該ブリーザ室と前記ケース内空間とを連通する連通口が形成されることを特徴とする請求項１記載の内燃機関のクランクケース構造。
【請求項３】
前記ケース外周壁から前記ケース内空間に向けて延出した前記上側隔壁の延長方向に同上側隔壁の延出先端に隣接してシフトドラムが配置されることを特徴とする請求項１または請求項２記載の内燃機関のクランクケース構造。
【請求項４】
前記上側隔壁の延出先端と前記下側隔壁の延出先端とを結ぶ線分上に前記シフトドラムが配置されることを特徴とする請求項３記載の内燃機関のクランクケース構造。
【請求項５】
前記クランク軸と平行な前記変速機のメイン軸とカウンタ軸が、この順に前記クランク軸から水平方向に離れて配設され、
前記カウンタ軸は前記クランク軸より上方に配置され、
前記変速機の下方に形成される変速機側上側隔壁は前記カウンタ軸側の前記ケース外周壁から斜め下向きに延出して形成されることを特徴とする請求項１ないし請求項４のいずれか記載の内燃機関のクランクケース構造。
【請求項６】
前記オイルパン内に貯留されたオイルを汲み上げるオイル汲上げ機構のオイル吸入口が、前記一対の鉛直軸受壁から略等距離の中央に前記オイルパンの底面に沿って形成され、
前記クランクケースの前記一対の鉛直軸受壁の外側にそれぞれケースカバーが被せられ、
前記クランク軸の下方に形成されるクランク軸側上側隔壁およびその下方のクランク軸側下側隔壁は、ともに前記一対の鉛直軸受壁に連結され、
前記クランク軸側上側隔壁は、前記クランクウエブの回転軌跡の外周縁に沿って下方に湾曲して形成され、
前記鉛直軸受壁の前記クランク軸側上側隔壁の上面に沿った部分に前記クランク軸側上側隔壁の上方の前記ケース内空間と前記ケースカバーのカバー内空間とを連通する上部連通口が形成され、
前記鉛直軸受壁の前記クランク軸側下側隔壁の上面に沿った部分に前記クランク軸側下側隔壁の上方の前記ケース内空間と前記ケースカバーのカバー内空間とを連通する下部連通口が形成され、
前記鉛直軸受壁の前記クランク軸側下側隔壁より下側に前記ケースカバーのカバー内空間に流入したオイルを前記オイルパンに戻すオイル戻し口が形成されたことを特徴とする請求項１ないし請求項５のいずれか記載の内燃機関のクランクケース構造。
【請求項７】
前記ケース外周壁より延出する前記クランク軸側下側隔壁は、少なくとも車体搭載時に、延出先端より延出基端の方が低い位置にあることを特徴とする請求項１ないし請求項６のいずれか記載の内燃機関のクランクケース構造。
【請求項８】
前記クランク軸の下方に形成されるクランク軸側上側隔壁およびその下方のクランク軸側下側隔壁は、ともに前記一対の鉛直軸受壁に連結され、
前記クランク軸側上側隔壁は、前記クランクウエブの回転軌跡の外周縁に沿って下方に湾曲して形成され、
前記クランク軸側上側隔壁は、前記クランク軸側下側隔壁と上下方向で重なる部分に欠損部が形成されていることを特徴とする請求項５記載の内燃機関のクランクケース構造。
【請求項９】
前記オイルパン内に貯留されたオイルを汲み上げるオイル汲上げ機構のオイル吸入口が、前記一対の鉛直軸受壁から略等距離の中央に前記オイルパンの底面に沿って形成され、
前記クランクケースの前記一対の鉛直軸受壁の外側にそれぞれケースカバーが被せられ、
前記鉛直軸受壁の前記クランク軸側下側隔壁の上面に沿った部分に前記クランク軸側下側隔壁の上方の前記ケース内空間と前記ケースカバーのカバー内空間とを連通する下部連通口が形成され、
前記鉛直軸受壁の前記クランク軸側下側隔壁より下側に前記ケースカバーのカバー内空間に流入したオイルを前記オイルパンに戻すオイル戻し口が形成されたことを特徴とする請求項８記載の内燃機関のクランクケース構造。
【発明の詳細な説明】
【技術分野】
【０００１】
本発明は、クランクケース下方にオイルパンを備えた内燃機関のクランクケース構造に関する。
【背景技術】
【０００２】
クランクケース下方にオイルパンを備えた内燃機関は、オイルパンに貯留されたオイルを汲み上げて潤滑を必要とする所要潤滑部位に供給する潤滑系を備えており、この潤滑系のオイルポンプによるオイル汲上げ機構は、そのオイル吸入口をオイルパンの底面に近接して設け、オイルパンに貯留されたオイルの量に影響されずに常にオイル吸入口がオイルに完全に浸るようにして空気を吸い込まないようにしている。
空気を吸い込んでしまうと、エア噛みによりオイルポンプの吐出油圧が変動して安定した油圧でオイルを潤滑部位に供給することができなくなる。
【０００３】
そこで、オイル吸入口をオイルパンの底面に近接させているとともに、特に自動二輪車に搭載された内燃機関で車体とともに内燃機関が傾いても、オイル吸入口がオイル面から露出しない程度に十分オイルはオイルパン内に貯留されているが、車体とともに内燃機関が急激に揺動したり、加速・減速が作用する場合は、オイルパン内のオイルのオイル面が変動し、変動が大きいと、瞬間的でもオイル吸入口が露出するおそれがあるので、これを防止しようとすると、オイルを大量に貯留させることになる。
【０００４】
そのため、重量が嵩むとともに、クランク室までオイルが溢れると、クランク軸のクランクウエブがオイルに浸ることで、クランク軸の回転に伴うフリクションが増大するなどの問題が生じる。
そこで、オイルパン内に略水平に隔壁を形成することで、オイルパンに貯留されたオイルのオイル面の変動を抑えるようにした例が提案されている（例えば、特許文献１参照）。
【先行技術文献】
【特許文献】
【０００５】
【特許文献１】特開２００８−２２３８８０号公報
【０００６】
該特許文献１に開示された内燃機関は、クランク軸を収容するクランクケース内にクランク軸より後方に変速機を配設した１気筒の４ストローク内燃機関であり、クランクケースの下方にオイルパンを備えている。
【０００７】
そして、前後のケース外周壁からオイルパンの内側に向けて上下を仕切る下側隔壁がそれぞれ延出して形成されている。
また、その前側の下側隔壁の上方であってクランクウエブの回転軌跡に沿って下方に湾曲した上側隔壁が形成されている。
前後の下側隔壁および上側隔壁によりオイルパンに貯留されたオイルのオイル面の変動を抑制することができる。
【０００８】
前後の下側隔壁は、オイルパンの底面から略同じ高さで、互いに近づく方向に延出しており、両者の延出先端間に大きな開口部が上下の空間を連通して形成されている。
この開口部にオイル吸入ダクトが挿入されて、その下端にオイル吸入口がオイルパンの底面に近接して設けられている。
【０００９】
クランク軸の下方の上側隔壁は、クランク軸を軸支する一対の鉛直軸受壁間に架設されるように形成され、前側のケース外周壁との間に空隙部を有するとともに、途中の下方に湾曲した最低部より若干後方に吐出口部が形成されている。
したがって、上側隔壁の上に溜まるオイルは、専ら吐出口部から丁度前後の下側隔壁間の開口部に向かって流出して、回転するクランクウエブがオイルに浸ることによるクランク軸のフリクションを低減するようにしている。
【発明の概要】
【発明が解決しようとする課題】
【００１０】
しかし、上側隔壁の吐出口部は比較的高い位置にあるとともに、クランクウエブの回転に伴って上側隔壁上のオイルは吐出口部から掻き出されるように流出するので、前後の下側隔壁間の開口部で泡が発生し易く、その開口部の下方に位置するオイル吸入口に泡が吸入される可能性が高く、エア噛みによりオイルポンプの吐出油圧が不安定になり易い。
また、上側隔壁はケース外周壁の前側壁との間に空隙部を有するので、特に内燃機関が前後に揺動したような場合に、前側の下側隔壁の上に溜まったオイルがケース外周壁の前側壁の内面に沿って遡って空隙部を上方に流動し上側隔壁上に大量に供給されることがあり、クランク軸のフリクションの増大を招くことがある。
【００１１】
本発明は、かかる点に鑑みなされたもので、その目的とする処は、オイル面の変動を抑制するとともに、クランク軸または変速機のフリクションの増大を抑制しながらオイルポンプのエア噛みの発生を防止することができる内燃機関のクランクケース構造を供する点にある。
【課題を解決するための手段】
【００１２】
上記目的を達成するために、請求項１記載の発明は、相対向する一対の鉛直軸受壁に両側部を軸支されてクランク軸が架設され、前記一対の鉛直軸受壁とケース外周壁とで囲まれたケース内空間にカウンタウエイトを備えるクランクウエブとともに歯車列を備えた変速機が配設されるクランクケースの下方にオイルパンを備えた内燃機関のクランクケース構造において、前記オイルパンに適正量貯留されるオイルの機関停止時のオイル面の下方を上下に仕切る下側隔壁が、前記ケース外周壁から前記ケース内空間に向けて延出して形成され、前記下側隔壁と所定の間隔を空けた上方であって前記クランク軸または前記変速機の少なくとも一方の下方を上下に仕切る上側隔壁が、前記ケース外周壁から前記ケース内空間に向けて延出して形成される内燃機関のクランクケース構造とした。
【００１３】
請求項２記載の発明は、請求項１記載の内燃機関のクランクケース構造において、前記ケース内空間の前記変速機が配設される側の前記変速機の上方にブリーザ室が形成され、前記ブリーザ室の下部に該ブリーザ室と前記ケース内空間とを連通する連通口が形成されることを特徴とする。
【００１４】
請求項３記載の発明は、請求項１または請求項２記載の内燃機関のクランクケース構造において、前記ケース外周壁から前記ケース内空間に向けて延出した前記上側隔壁の延長方向に同上側隔壁の延出先端に隣接してシフトドラムが配置されることを特徴とする。
【００１５】
請求項４記載の発明は、請求項３記載の内燃機関のクランクケース構造において、前記上側隔壁の延出先端と前記下側隔壁の延出先端とを結ぶ線分上に前記シフトドラムが配置されることを特徴とする。
【００１６】
請求項５記載の発明は、請求項１ないし請求項４のいずれか記載の内燃機関のクランクケース構造において、前記クランク軸と平行な前記変速機のメイン軸とカウンタ軸が、この順に前記クランク軸から水平方向に離れて配設され、前記カウンタ軸は前記クランク軸より上方に配置され、前記変速機の下方に形成される変速機側上側隔壁は前記カウンタ軸側の前記ケース外周壁から斜め下向きに延出して形成されることを特徴とする。
【００１７】
請求項６記載の発明は、請求項１ないし請求項５のいずれか記載の内燃機関のクランクケース構造において、前記オイルパン内に貯留されたオイルを汲み上げるオイル汲上げ機構のオイル吸入口が、前記一対の鉛直軸受壁から略等距離の中央に前記オイルパンの底面に沿って形成され、前記クランクケースの前記一対の鉛直軸受壁の外側にそれぞれケースカバーが被せられ、前記クランク軸の下方に形成されるクランク軸側上側隔壁およびその下方のクランク軸側下側隔壁は、ともに前記一対の鉛直軸受壁に連結され、前記クランク軸側上側隔壁は、前記クランクウエブの回転軌跡の外周縁に沿って下方に湾曲して形成され、前記鉛直軸受壁の前記クランク軸側上側隔壁の上面に沿った部分に前記クランク軸側上側隔壁の上方の前記ケース内と前記ケースカバーのカバー内空間とを連通する上部連通口が形成され、前記鉛直軸受壁の前記クランク軸側下側隔壁の上面に沿った部分に前記クランク軸側下側隔壁の上方の前記ケース内と前記ケースカバーのカバー内空間とを連通する下部連通口が形成され、前記鉛直軸受壁の前記クランク軸側下側隔壁より下側に前記ケースカバーのカバー内空間に流入したオイルを前記オイルパンに戻すオイル戻し口が形成されたことを特徴とする。
【００１８】
請求項７記載の発明は、請求項１ないし請求項６のいずれか記載の内燃機関のクランクケース構造において、前記ケース外周壁より延出する前記クランク軸側下側隔壁は、少なくとも車体搭載時に、延出先端より延出基端の方が低い位置にあることを特徴とする。
【００１９】
請求項８記載の発明は、請求項５記載の内燃機関のクランクケース構造において、前記クランク軸の下方に形成されるクランク軸側上側隔壁およびその下方のクランク軸側下側隔壁は、ともに前記一対の鉛直軸受壁に連結され、前記クランク軸側上側隔壁は、前記クランクウエブの回転軌跡の外周縁に沿って下方に湾曲して形成され、前記クランク軸側上側隔壁は、前記クランク軸側下側隔壁と上下方向で重なる部分に欠損部が形成されていることを特徴とする。
【００２０】
請求項９記載の発明は、請求項８記載の内燃機関のクランクケース構造において、前記オイルパン内に貯留されたオイルを汲み上げるオイル汲上げ機構のオイル吸入口が、前記一対の鉛直軸受壁から略等距離の中央に前記オイルパンの底面に沿って形成され、前記クランクケースの前記一対の鉛直軸受壁の外側にそれぞれケースカバーが被せられ、前記鉛直軸受壁の前記クランク軸側下側隔壁の上面に沿った部分に前記クランク軸側下側隔壁の上方の前記ケース内空間と前記ケースカバーのカバー内空間とを連通する下部連通口が形成され、前記鉛直軸受壁の前記クランク軸側下側隔壁より下側に前記ケースカバーのカバー内空間に流入したオイルを前記オイルパンに戻すオイル戻し口が形成されたことを特徴とする。
【発明の効果】
【００２１】
請求項１記載の内燃機関のクランクケース構造によれば、オイルパンに適正量貯留されるオイルの機関停止時のオイル面の下方を上下に仕切る下側隔壁が、ケース外周壁からケース内空間に向けて延出して形成され、下側隔壁と所定の間隔を空けた上方であってクランク軸または変速機の少なくとも一方の下方を上下に仕切る上側隔壁が、ケース外周壁からケース内空間に向けて延出して形成されているので、クランクケース下方のオイルパンに貯留されたオイルが揺れて流動するような場合、下側隔壁と上側隔壁の２重の隔壁によりオイルの流動が効果的に抑制されるとともに、特に加減速時に前後に揺れる場合、下側隔壁の上に溜まったオイルがケース外周壁の内面に沿って遡ってクランク軸または変速機が配設される上側隔壁の上に流動するのをケース外周壁から延出する上側隔壁の延出基端部が防止することができるので、上側隔壁上にオイルが供給されることによるクランク軸または変速機のフリクションの増大を可及的に抑制することができる。
オイルパン内のオイルのオイル面が大きく変動することが確実に抑えられているので、オイルパン内のオイル吸入口が露出することがなく、オイルポンプのエア噛みによる吐出油圧の変動を防止することができる。
【００２２】
請求項２記載の内燃機関のクランクケース構造によれば、クランクケースの前記変速機の上方にブリーザ室が形成され、ブリーザ室の下部に該ブリーザ室とケース内空間とを連通する連通口が形成されるので、ブローバイガスを抜き易く気液分離されたオイルをオイルパンに戻し易くしているとともに、ケース外周壁から延出する上側隔壁によりオイルがケース外周壁の内面を遡るのを阻止することで、変速機の上方の連通口からブリーザ室へオイルが侵入するのを防止することができる。
【００２３】
請求項３記載の内燃機関のクランクケース構造によれば、ケース外周壁からケース内空間に向けて延出した上側隔壁の延長方向に同上側隔壁の延出先端に隣接してシフトドラムが配置されるので、上側隔壁とシフトドラムが協働して上側隔壁より下方のオイルが飛散または流動してクランク軸または変速機が配設される上側隔壁の上のケース内空間に移動するのを可及的に防止することができる。
【００２４】
請求項４記載の内燃機関のクランクケース構造によれば、上側隔壁の延出先端と下側隔壁の延出先端とを結ぶ線分上に前記シフトドラムが配置されるので、下側隔壁と上側隔壁との間の空間のクランク室内側の開口の上部が上側隔壁の延出先端に隣接したシフトドラムで塞がれることになり、同空間に溜まったオイルが上方に飛散または流出するのが妨げられ、上側隔壁の上に移動するのを益々抑制することができる。
【００２５】
請求項５記載の内燃機関のクランクケース構造によれば、変速機の下方に形成される変速機側上側隔壁はクランク軸より上方に配置されるカウンタ軸側のケース外周壁から斜め下向きに延出して形成されるので、変速機側上側隔壁をカウンタ歯車列との干渉を避けながら高い位置に形成して下方の下側隔壁との間の空間を大きく確保することができ、同空間にオイルを溜めて変速機側上側隔壁の上にオイルが移動する量を減らすことができるとともに、ケース外周壁から斜め下向きに延出した変速機側上側隔壁の上のオイルは傾斜面を流れて延出先端から下方に流下してオイルパンに容易に戻る。
【００２６】
請求項６記載の内燃機関のクランクケース構造によれば、鉛直軸受壁のクランク軸側上側隔壁の上面に沿った部分に形成された上部連通口によりクランクウエブの回転軌跡の外周縁に沿って下方に湾曲して形成されたクランク軸側上側隔壁の上に溜まったオイルがケースカバーのカバー内空間に流出され、鉛直軸受壁の前記クランク軸側下側隔壁の上面に沿った部分に形成された下部連通口によりクランク軸側下側隔壁の上に溜まったオイルがケースカバーのカバー内空間に流出され、鉛直軸受壁のクランク軸側下側隔壁より下側に形成されたオイル戻し口によりケースカバーのカバー内空間に流入したオイルがオイルパンに戻されるので、一対の鉛直軸受壁から略等距離の中央にオイルパンの底面に沿って形成されたオイル吸入口から離れたオイル戻し口の低い位置からオイルの戻りの流れがあって、この低い位置からのオイルの戻りの流れにより泡は発生し難く、発生したとしても鉛直軸受壁側で生じた泡は離れた中央のオイル吸入口から吸入されることはなく、オイルポンプのエア噛みを防止して油圧変動を抑えることができる。
【００２７】
また、上部連通口から側方のカバー内空間にオイルが流出することで、クランク軸側上側隔壁の比較的高い位置となる延出先端からのオイルの流下が抑えられているので、この点からも泡の発生は可及的に抑制されている。
なお、下部連通口からも側方のカバー内空間にオイルが流出し、クランク軸側下側隔壁の延出先端からのオイルの流下も抑制されている。
【００２８】
請求項７記載の内燃機関のクランクケース構造によれば、ケース外周壁より延出するクランク軸側下側隔壁は、少なくとも車体搭載時に、延出先端より延出基端の方が低い位置にあるので、クランク軸側下側隔壁の上のオイルは延出基端側に溜り、殆どが鉛直軸受壁の下部連通口からカバー内空間に流出するため、クランク軸側下側隔壁の延出先端からオイルパン中央のオイル吸入口の上へ流下するオイルの量をより一層減らすことができ、泡の発生を抑えオイル吸入口から泡が吸入されることを極力防止することができる。
【００２９】
請求項８記載の内燃機関のクランクケース構造によれば、クランク軸の下方に形成されるクランク軸側上側隔壁は、クランクウエブの回転軌跡の外周縁に沿って下方に湾曲して形成され、その下方のクランク軸側下側隔壁と上下方向で重なる部分に欠損部が形成されているので、クランク軸側上側隔壁の上のオイルは欠損部から下方のクランク軸側下側隔壁の上に流下してクランク軸の回転に伴うフリクションの増大を抑制するとともに、クランク軸側下側隔壁によりオイルパン内のオイルがクランク軸のある上方に移動することを防止し、オイルパン内のオイル量を確保することができる。
【００３０】
請求項９記載の内燃機関のクランクケース構造によれば、クランク軸側上側隔壁の欠損部などから流下してクランク軸側下側隔壁の上に溜まったオイルは、鉛直軸受壁のクランク軸側下側隔壁の上面に沿った部分に形成された下部連通口によりケースカバーのカバー内空間に流出され、鉛直軸受壁のクランク軸側下側隔壁より下側に形成されたオイル戻し口によりケースカバーのカバー内空間に流入したオイルがオイルパンに戻されるので、一対の鉛直軸受壁から略等距離の中央にオイルパンの底面に沿って形成されたオイル吸入口から離れたオイル戻し口の低い位置からオイルの戻りの流れがあって、この低い位置からのオイルの戻りの流れにより泡は発生し難く、発生したとしても鉛直軸受壁側で生じた泡は離れた中央のオイル吸入口から吸入されることはなく、オイルポンプのエア噛みを防止して油圧変動を抑えることができる。
【図面の簡単な説明】
【００３１】
【図１】本発明の一実施形態に係る自動二輪車用内燃機関の右側面図である。
【図２】図１に示された内燃機関のII−II線断面図である。
【図３】図１に示された内燃機関のIII−III線断面図である。
【図４】同内燃機関の右クランクケースカバーを取外した状態の右側面図である。
【図５】左クランクケースを省略して右クランクケースを内側から視た一部断面とした同内燃機関の左側面図である。
【図６】右クランクケースを省略して左クランクケースを内側から視た一部断面とした同内燃機関の右側面図である。
【図７】左クランクケースを外側から視た左側面図である。
【図８】図４ないしび図７に示された内燃機関のVIII−VIII線断面図である。
【図９】図４ないしび図７に示された内燃機関のIX−IX線断面図である。
【図１０】別実施形態に係る自動二輪車用内燃機関の左クランクケースを省略して右クランクケースを内側から視た一部断面とした左側面図である。
【図１１】右クランクケースを省略して左クランクケースを内側から視た一部断面とした同内燃機関の右側面図である。
【発明を実施するための形態】
【００３２】
以下、本発明に係る一実施の形態について図１ないし図９に基づいて説明する。
本実施の形態に係る内燃機関１は、単気筒の４ストローク内燃機関であり、自動二輪車にクランク軸10を車体幅方向に指向させて横置きに搭載される。
なお、本明細書中では、自動二輪車の車体を基準に前後左右を決めておく。
【００３３】
図１は、内燃機関１の右側面図であり、同図１を参照して、左右方向に指向したクランク軸10を回転自在に軸支するクランクケース２の斜め上方にはシリンダブロック３およびシリンダヘッド４が順次重ねられて一体に締結され、シリンダヘッド４の上にはシリンダヘッドカバー５が被せられ、シリンダブロック３，シリンダヘッド４，シリンダヘッドカバー５はクランクケース２から僅かに前方に前傾して突設している。
【００３４】
クランクケース２から斜め上方に突出したシリンダブロック３にはピストン18が摺動可能に嵌装され、コンロッド19を介してクランク軸10のクランクウエブ10ｗ，10ｗ間に架設されるクランクピン10ｐに接続され、ピストン18の動きに応じてクランク軸10を回転駆動する（図２，図５，図６参照）。
【００３５】
シリンダヘッド４の下部、ピストン18の上部には、燃焼室20が形成されている。
この燃焼室20には、吸気ポート21、排気ポート22が連なり、これらの内端を開閉する吸気弁23および排気弁24が設けられている。
吸気ポート22には、スロットルボディ25および燃料噴射弁26が接続されている。
クランクケース２の後部上面にスタータモータ27とスピードセンサ28が設置されている。
【００３６】
図１に示された内燃機関のII−II線断面図である図２を参照して、クランクケース２は、左右半割りに構成され、左クランクケース２Ｌと右クランクケース２Ｒの間にケース内空間が形成されている。
ケース内空間は、後記する互いに対面する左右鉛直軸受壁２Lv，２Rv間にケース外周壁２Ls，２Rsに囲まれて形成される空間であり、クランク軸10のカウンタウエイトを構成するクランクウエブ10ｗが収容されるクランク室２Ｃと常時噛合い式歯車変速機Ｍが収容されるミッション室２Ｍとが互いに前後に位置して連通して１つの空間を構成している。
【００３７】
この左クランクケース２Ｌと右クランクケース２Ｒのさらに左右外側方を左クランクケースカバー６と右クランクケースカバー７が覆い、左クランクケースカバー６内のジェネレータ室６ＧにＡＣジェネレータＧが収容され、右クランクケースカバー７内のクラッチ室７Ｃに多板摩擦クラッチＣが収容される。
【００３８】
クランク軸10のクランクウエブ10ｗの外側部付け根が、左クランクケース２Ｌと右クランクケース２Ｒの互いに対面する左右鉛直軸受壁２Lv，２Rvにメタルベアリング11，11を介して軸支される。
この左側のメタルベアリング11より左方に突出したクランク軸10の左側部にＡＣジェネレータＧが設けられ、同ＡＣジェネレータＧは左クランクケースカバー６により覆われる。
【００３９】
左右のメタルベアリング11，11は、左右鉛直軸受壁２Lv，２Rvの軸受円孔部に嵌着されたメタル保持部材11ｂ，11ｂに一体に保持され、同メタル保持部材11ｂ，11ｂはメタルベアリング11，11を保持するとともに、圧油をクランク軸10のジャーナル部とメタルベアリング11との隙間（オイルクリアランス）に供給し、メタルベアリング11，11は回転するクランク軸10をオイルクリアランスを介して軸支する（図３参照）。
【００４０】
図２を参照して、左右クランクケース２Ｌ，２Ｒの左右鉛直軸受壁２Lv，２Rvの後方に延長した左右側壁間に常時噛合い式歯車変速機Ｍのメイン軸12とカウンタ軸13がベアリング12ｂ，12ｂ、13ｂ，13ｂを介して軸支され、メイン軸12に支持された駆動歯車列12ｇとカウンタ軸13に支持された被動歯車列13ｇとが各対応する歯車を常時噛み合わせてミッション室２Ｍに収容されている。
【００４１】
メイン軸12の右鉛直軸受壁２Rvを右方に貫通しクラッチ室７Ｃに突出した右側部に多板摩擦クラッチＣが設けられる。
カウンタ軸13は、左鉛直軸受壁２Lvを左方に貫通して外部に突出した左端部に出力スプロケット16が嵌着されている。
出力スプロケット16には後輪駆動用チェーン17が巻き掛けられている。
【００４２】
図１および図５を参照して、クランク軸10に対してメイン軸12とカウンタ軸13は平行であり、クランク軸10の後方斜め上にメイン軸12が位置し、メイン軸12のさらに後方で若干斜め下にカウンタ軸13が位置し、カウンタ軸13はクランク軸13より上方に位置している。
メイン軸12の略真下でカウンタ軸13より低い位置にシフトドラム14が配置される（図５参照）。
【００４３】
図３は、図１に示された内燃機関のIII−III線断面図であり、同図３を図１とともに参照して、クランク軸10の前方には、バランサウエイト15ｗを備えたバランサ軸15が左右鉛直軸受壁２Lv，２Rvにボールベアリング15ｂ，15ｂを介して回転自在に架設されている。
クランク軸10の右鉛直軸受壁２Rvのメタルベアリング11に軸支されて右方に突出した右側部には、左から右へ順にバランサ駆動ギヤ35ａ，カムチェーン駆動スプロケット30，プライマリ駆動ギヤ36ａがともにクランク軸10と一体に回転するように嵌合されている。
【００４４】
バランサ駆動ギヤ35ａは前記バランサ軸15に嵌着されたバランサ被動ギヤ35ｂと噛合して動力伝達される。
プライマリ駆動ギヤ36ａは前記メイン軸12の右側部に設けられた多板摩擦クラッチＣのクラッチアウタＣｏに支持されたプライマリ被動ギヤ36ｂに噛合して動力伝達される（図２参照）。
【００４５】
図３を参照して、クランク軸10の右側部の下方には、右鉛直軸受壁２Rvの右壁面にオイルポンプ40が設けられている。
オイルポンプ40は、ポンプハウジング41内でインナロータ42ｉとアウタロータ42ｏが噛み合うトロコイドポンプであり、インナロータ42ｉが嵌着されるオイルポンプ軸43がポンプハウジング41から右方に突出する右端部にポンプ被動ギヤ44が嵌着され、同ポンプ被動ギヤ44が前記プライマリ駆動ギヤ36ａに噛合して動力が伝達されてオイルポンプ40が駆動される。
なお、オイルポンプ40の斜め下方にリリーフ弁45が右鉛直軸受壁２Rvとポンプハウジング41に挟まれて設けられている。
【００４６】
右クランクケースカバー７には、バランサ軸15と同軸に水ポンプ軸46ａを備えて水ポンプ46が配設される。
水ポンプ軸46ａはバランサ軸15と連結されてバランサ軸15とともに回転する。
また、右クランクケースカバー７には、オイルポンプ40に近接して対応する部分にオイルフィルタ47が配設される。
【００４７】
図４は、上記内燃機関１の右クランクケースカバー７を取外した状態の右側面図であり、右クランクケース２Ｒには、右鉛直軸受壁２Rvとともに右側面に突出形成された環状枠壁２Rtの端面である右クランクケースカバー７との環状の合わせ面２Rg（格子ハッチで示す部分）が示されている。
この右クランクケース２Ｒの右側を覆う右クランクケースカバー７は、外周壁の端面が合わせ面で、右クランクケース２Ｒの環状枠壁２Rtの合わせ面２Rgと突き合わせて、内部にクラッチ室７Ｃを形成する。
【００４８】
クランク軸10の右鉛直軸受壁２Rvに軸支されて右方に突出した右側部に嵌着された前記カムチェーン駆動スプロケット30とシリンダヘッド４の上部に軸支された動弁機構のカムシャフト31，32に嵌着されたカムチェーン被動スプロケット31ｓ，32ｓとにカムチェーン33が架渡されて動弁機構に動力が伝達される。
【００４９】
カウンタ軸13の下方に変速操作のためのシフトスピンドル37が左外方から貫通して回動自在に支持されており、シフトスピンドル37の回動がメイン軸12の設けられるギヤチェンジ機構38を作動して前記シフトドラム14を回動し、シフトドラム14の回動はシフトフォーク39ａ，39ｂ（図５参照）を移動して、前記常時噛合い式歯車変速機Ｍの駆動歯車列12ｇと被動歯車列13ｇの各噛合う歯車対のうち有効に動力伝達する歯車対を選択して変速を行う。
クランク軸10の右側部の下方には、前記オイルポンプ40が設けられている。
【００５０】
図５は、左クランクケース２Ｌを省略して右クランクケース２Ｒを内側から視た一部断面とした内燃機関１の左側面図であり、右クランクケース２Ｒの左クランクケース２Ｌとの合わせ面２Rｆ（格子ハッチで示す部分）が環状（一部シリンダ部分が切り欠かれている）に示されている。
図６は、右クランクケース２Ｒを省略して左クランクケース２Ｌを内側から視た一部断面とした内燃機関１の右側面図であり、左クランクケース２Ｌの右クランクケース２Ｒとの合わせ面２Lｆ（格子ハッチで示す部分）が環状（一部シリンダ部分が切り欠かれている）に示されている。
右クランクケース２Ｒの外側から視た右側面図は図４に示され、左クランクケース２Ｌの外側から視た左側面図は図７に示されている。
【００５１】
以上の図４ないし図７を参照して、左右クランクケース２Ｌ，２Ｒのクランク室２Ｃとミッション室２Ｍを左右鉛直軸受壁２Lv，２Rvとともに形成するケース外周壁２Ls，２Rsが、バランサ軸15の前方からクランク軸10の下方および常時噛合い式歯車変速機Ｍの下方に回り込んで後方に向かい、常時噛合い式歯車変速機Ｍの後方を上方に回り込んで、さらに常時噛合い式歯車変速機Ｍの上方に至るようにして外周を覆う。
ケース外周壁２Ls，２Rsの互いの内側端面が合わせ面２Lf，２Rｆである。
【００５２】
この左右クランクケース２Ｌ，２Ｒは、左右鉛直軸受壁２Lv，２Rvおよびケース外周壁２Ls，２Rsが下方に延出するようにしてクランク室２Ｃおよびミッション室２Ｍの下方に凹出してオイルを貯留するオイルパン２ｐを形成している。
【００５３】
オイルパン２ｐには、常に適正量のオイルが貯留されいる必要があり、適正量の貯留オイルの機関停止時の平均的なオイル面Ｓを図４ないし図７に１点鎖線で示す。
内燃機関１が停止しているときに、このオイル面Ｓの上下近傍幅内にオイル面があればオイルは適正量である。
内燃機関１が稼動すると、オイルポンプ40の駆動でオイルパン２ｐ内のオイルが汲み上げられて各潤滑部位に供給されるので、オイル面Ｓは図４ないし図７に示す高さよりずっと低い位置となる。
【００５４】
図５を参照して、右クランクケース２Ｒの内面には、オイルパン２ｐの底面の前半部の上方にケース外周壁２Rsの前側壁から後方に鉛直軸受壁２Rvに一体に連結されながら延出してオイル吸入通路上壁51Ｒが底面に沿って形成され、左クランクケース２Ｌに対称的に形成されたオイル吸入通路上壁51Ｌ（図６参照）とオイル吸入通路上壁51Ｒが当接されてオイルパン２ｐの底面との間にオイル吸入通路54が形成される。
その際、オイル吸入通路上壁51Ｌ，51Ｒの後端がオイルパン２ｐの底面との間で形成する扁平矩形開口はオイル吸入通路後壁52Ｌ，52Ｒで左右が塞がれ、中央にオイル吸入口53が形成される（図９参照）。
【００５５】
図８を参照して、右クランクケース２Ｒの右鉛直軸受壁２Rvにオイル吸入通路54に開口するオイル通路55が上方に向かって穿孔されており、そのオイル通路55は途中で環状枠壁２Rt内を扁平矩形に穿孔した矩形孔56に連通しており、同矩形孔56にオイルストレーナ57が介装されてオイル通路55を上流側（下側）と下流側（上側）とを仕切っている。
なお、矩形孔56の右端開口は右クランクケースカバー７の合わせ面で閉塞される。
オイル通路55の下流端（上端）は、右方に屈曲してクラッチ室７Ｃ内に設けられる前記オイルポンプ40の吸入ポートに連通する。
【００５６】
したがって、内燃機関１が稼動してオイルポンプ40が駆動されると、オイルパン２ｐに貯留されたオイルは、オイルパン２ｐの底面中央に形成されたオイル吸入口53からオイル吸入通路54に吸入されてオイル吸入通路54から右鉛直軸受壁２Rvのオイル通路55を上昇し、その途中でオイルストレーナ57によりろ過されてオイルポンプ40の吸入ポートに汲み上げられる。
そして、オイルポンプ40の吐出ポートから吐出した圧油がオイル通路を通って前記クランク軸10を軸支するメタルベアリング11等の各潤滑部位に供給される。
【００５７】
右クランクケース２Ｒの内面には、図５に示すように、機関停止時の前記オイル面Ｓの下方を上下に仕切る高さで、ケース外周壁２Rsの前側壁から後方に向けて前下側隔壁（クランク軸側下側隔壁）61Ｒが延出するとともに、後側壁から前方に同前下側隔壁61Ｒに向けて後下側隔壁（変速機側下側隔壁）62Ｒが延出している。
前下側隔壁61Ｒと後下側隔壁62Ｒは、オイル面Ｓに対して前方に僅かに下向きに傾斜した同一平面上にあって、右端は右鉛直軸受壁２Rvに一体に連結し、左端面は合わせ面２Rfと同一の合わせ面をなしており、前下側隔壁61Ｒの後端と後下側隔壁62Ｒの前端とは、所定間隔離れている。
【００５８】
左クランクケース２Ｌの内面には、右クランクケース２Ｒの内面の前下側隔壁61Ｒと後下側隔壁62Ｒに対称的に前下側隔壁61Ｌと後下側隔壁62Ｌが形成されており（図６参照）、左クランクケース２Ｌと右クランクケース２Ｒが合体すると、前下側隔壁61Ｌと前下側隔壁61Ｒが互いの合わせ面を当接して同一平面をなす前下側隔壁61Ｌ，61Ｒを構成し、後下側隔壁62Ｌと後下側隔壁62Ｒが互いの合わせ面を当接して同一平面をなす後下側隔壁62Ｌ，62Ｒを構成する。
【００５９】
すなわち、前下側隔壁（クランク軸側下側隔壁）61Ｌ，61Ｒと後下側隔壁（変速機側下側隔壁）62Ｌ，62Ｒは、オイルパン２ｐ内の前後で機関停止時のオイル面Ｓの下方を上下に仕切ってオイルパン２ｐの下層空間63を画成し、前下側隔壁61Ｌ，61Ｒの後端と後下側隔壁62Ｌ，62Ｒの前端との間に下層空間63に連通する矩形開口64を形成する。
この矩形開口64は、前記オイル吸入口53の上方に位置する。
【００６０】
さらに、図５に示すように、右クランクケース２Ｒの内面には、前記前下側隔壁61Ｒと所定の間隔を空けた上方であってクランク軸10のカウンタウエイトを備えたクランクウエブ10ｗの下方を上下に仕切る高さで、ケース外周壁２Rsの前側壁から後方に向けてバランサ軸15の下方を経てクランクウエブ10ｗの回転軌跡の外周縁に沿って下方に湾曲しながら前上側隔壁（クランク軸側上側隔壁）65Ｒが延出するとともに、後側壁から前方に向けて変速機Ｍの被動歯車列13ｇに沿って下方を後上側隔壁（変速機側上側隔壁）66Ｒが延出している。
【００６１】
前上側隔壁65Ｒは、下部がオイル面Ｓに若干浸る程度であり、後上側隔壁66Ｒは、オイル面Ｓの上方にあってオイル面Ｓに対して前方下向きに傾斜しており、前上側隔壁65Ｒと後上側隔壁66Ｒは、右端は右鉛直軸受壁２Rvに一体に連結し、左端面は合わせ面２Rfと同一の合わせ面をなしており、前上側隔壁65Ｒの後端と後上側隔壁66Ｒの前端とは、所定間隔離れていて、この間にシフトドラム14が配置される。
【００６２】
左クランクケース２Ｌの内面には、右クランクケース２Ｒの内面の前上側隔壁65Ｒと後上側隔壁66Ｒに対称的に前上側隔壁65Ｌと後上側隔壁66Ｌが形成されており（図６参照）、左クランクケース２Ｌと右クランクケース２Ｒが合体すると、前上側隔壁65Ｌと前上側隔壁65Ｒが互いの合わせ面を当接して同一湾曲面をなす前上側隔壁65Ｌ，65Ｒを構成し、後上側隔壁66Ｌと後上側隔壁66Ｒが互いの合わせ面を当接して同一平面をなす後上側隔壁66Ｌ，66Ｒを構成する。
【００６３】
すなわち、前上側隔壁（クランク軸側上側隔壁）65Ｌ，65Ｒと後上側隔壁（変速機側上側隔壁）66Ｌ，66Ｒは、クランクウエブ10ｗの回転軌跡と被動歯車列13ｇに沿った下方を上下に仕切って、下方の前下側隔壁61Ｌ，61Ｒおよび後下側隔壁62Ｌ，62Ｒとの間にオイルパン２ｐの上層空間67を画成し、前上側隔壁65Ｌ，65Ｒの後端と後上側隔壁66Ｌ，66Ｒの前端との間に上層空間67に連通する矩形開口68を形成する。
【００６４】
矩形開口68にはシフトドラム14が矩形開口68を塞ぐような状態で配置される（図５参照）。
また、図５に示すように、シフトドラム14は、後上側隔壁66Ｌ，66Ｒの前端（延出先端）と後下側隔壁62Ｌ，62Ｒの前端（延出先端）とを結ぶ線分Ｔ上に配置され、後上側隔壁66Ｌ，66Ｒと後下側隔壁62Ｌ，62Ｒとの間の後方上層空間67の前方に向いた開口が部分的に塞がれることになる。
【００６５】
さらに、前記シフトスピンドル37が後上側隔壁66Ｌ，66Ｒの前端の下方で後下側隔壁62Ｌ，62Ｒの上方に左右方向に貫通支持されて、シフトスピンドル37は上層空間67のケース外周壁２Ls，２Rsの後側壁に沿った後奥空間を前方空間から仕切るような位置にある。
【００６６】
以上のように、本クランクケース２の内部は、前上側隔壁65Ｌ，65Ｒと後上側隔壁66Ｌ，66Ｒによりその上方にクランク室２Ｃとミッション室２Ｍが画成され、その下方のオイルパン２ｐの内部は前下側隔壁61Ｌ，61Ｒと後下側隔壁62Ｌ，62Ｒにより上層空間67と下層空間63に仕切られており、前上側隔壁65Ｌ，65Ｒと後上側隔壁66Ｌ，66Ｒの間に矩形開口68が形成され、前下側隔壁61Ｌ，61Ｒと後下側隔壁62Ｌ，62Ｒに矩形開口64が形成されており、機関停止時のオイル面Ｓは前下側隔壁61Ｌ，61Ｒおよび後下側隔壁62Ｌ，62Ｒより上方で、前上側隔壁65Ｌ，65Ｒの最下部に浸る程度の高さ位置にある。
【００６７】
図５を参照して、右クランクケース２Ｒの右鉛直軸受壁２Rvにおいて下方に湾曲した前上側隔壁65Ｒの上面に沿った最も低い部分に前後に４つ上部連通口71ｒ（散点を施した部分）が穿設されており、同上部連通口71ｒは、クランク室２Ｃと右クランクケースカバー７内のクラッチ室７Ｃとを連通する（図８参照）。
また、右鉛直軸受壁２Rvにおいて前上側隔壁65Ｒと前下側隔壁61Ｒとの間の前側部分に下部連通口72ｒ（散点を施した部分）が１つ穿設されており、同下部連通口72ｒは上層空間67とクラッチ室７Ｃとを連通する。
【００６８】
さらに、右鉛直軸受壁２Rvにおいて前下側隔壁61Ｒと後下側隔壁62Ｒとの間の矩形開口64の若干下方部分にオイル戻し口73（散点を施した部分）が穿設されている。
オイル戻し口73は、下部連通口72ｒよりも低い位置にあるが、右クランクケース２Ｒを外側（右側）から視た図４に示されるように、環状枠壁２Rtの下側部分の上面に沿って形成されているので、クラッチ室７Ｃに開口してクラッチ室７Ｃとオイルパン２ｐの下層空間63とを連通する（図９参照）。
【００６９】
図６を参照して、左クランクケース２Ｌの左鉛直軸受壁２Lvにおいて下方に湾曲した前上側隔壁65Ｌの上面に沿った最も低い部分に前後に４つ上部連通口71ｌ（散点を施した部分）が穿設されており、同上部連通口71ｌは、クランク室２Ｃと左クランクケースカバー６内のジェネレータ室６Ｇとを連通する。
また、左鉛直軸受壁２Lvにおいて前上側隔壁65Ｌと前下側隔壁61Ｌとの間で前下側隔壁61Ｌの上面に沿った部分に下部連通口72ｌ（散点を施した部分）が１つ穿設されている。
【００７０】
左クランクケース２Ｌを外側（左側）から視た図６には、左鉛直軸受壁２Lvとともに左側面に突出形成された環状枠壁２Ltの端面である左クランクケースカバー６との環状の合わせ面２Lg（格子ハッチで示す部分）が示されている。
図６に示すように、上記下部連通口72ｌは、環状枠壁２Ltの最も下側の部分の上面に沿って形成されているので、ジェネレータ室６Ｇに開口してジェネレータ室６Ｇの最下部とオイルパン２ｐの上層空間67とを連通する（図８参照）。
【００７１】
以上のような構造により、クランク室２Ｃにおいてクランクウエブ10ｗの回転軌跡の外周に沿って下方に湾曲した前上側隔壁65Ｌ，65Ｒの上に溜まったオイルは、図８で破線矢印で示すように、左右の鉛直軸受壁２Lv，２Rvに前上側隔壁65Ｌ，65Ｒの上面に沿って穿設された左右の上部連通口71ｌ，71ｒから左クランクケースカバー６で覆われたジェネレータ室６Ｇと右クランクケースカバー７で覆われたクラッチ室７Ｃに左右に分かれて流出される。
【００７２】
クランク室２Ｃからジェネレータ室６Ｇに流入するなどしてジェネレータ室６Ｇに溜まったオイルは、左鉛直軸受壁２Lvの下部連通口72ｌから前下側隔壁61Ｌ，61Ｒの上の前側上層空間67に流出する（図８参照）。
さらに、前下側隔壁61Ｌ，61Ｒの上に溜まったオイルは、右鉛直軸受壁２Rvの下部連通口72ｒ（図８において一部別断面図で示している）からクラッチ室７Ｃに流出される。
【００７３】
したがって、右クランクケースカバー７で覆われた右側のクラッチ室７Ｃには、クランク室２Ｃの前上側隔壁65Ｌ，65Ｒの上に溜まったオイルが右側上部連通口71ｌから直接流入するとともに、左側のジェネレータ室６Ｇに溜まったオイルもオイルパン２ｐの前側上層空間67を通って右側下部連通口72ｒから流出し、右側のクラッチ室７Ｃにオイルが集められる。
【００７４】
そして、右側のクラッチ室７Ｃに集められたオイルは、図９に示すように、右鉛直軸受壁２Rvに環状枠壁２Rtの下側部分の上面に沿って穿設された右側寄りのオイル戻し口73からオイルパン２ｐの下層空間63に流出してオイルパン２ｐに貯留される。
【００７５】
また、クランクケース２は、左右クランクケース２Ｌ，２Ｒのケース外周壁２Ls，２Rsにおけるミッション室２Ｍの上壁部が左右のクランクケース２Ｌ，２Ｒに亘って上方に膨出してブリーザ膨出壁80が形成され、同ブリーザ膨出壁80の内部にブリーザ室底壁81によりミッション室２Ｍと仕切ってブリーザ室82が形成されている。
【００７６】
ブリーザ室82内は複数の内壁によりラビリンス構造が形成されていて、被動歯車列13ｇの上方を被動歯車列13ｇに沿って形成されたブリーザ室底壁81の前部にブリーザ室入口83が形成され、ブリーザ室82の最下部となるブリーザ室底壁81の後部でケース外周壁２Ls，２Rsの後側壁の上部にオイル戻し孔84が前方に開口を向けて形成されている。
左クランクケース２Ｌのブリーザ膨出壁80の天井壁にブリーザ室出口となるガス排出管85が突出して設けられており、ガス排出管85にはエアクリーナから延出されるガス管（図示せず）が接続される。
【００７７】
したがって、クランク室２Ｃおよびミッション室２Ｍの内部のフローバイガスは、ミッション室２Ｍ上方のブリーザ室82にブリーザ室入口83から流入し、ブリーザ室82内のラビリンス構造により気液分離され、分離されたガスはガス排出管85から排出されてエアクリーナに送られ、分離されたオイルはオイル戻し孔84からミッション室２Ｍに流出され、結局オイルパン２ｐに回収される。
【００７８】
本実施の形態に係るクランクケース構造は、以上のように構成されているので、以下のような効果を奏する。
図５および図６において、内燃機関１の停止時における平均的なオイル面Ｓが示されているが、内燃機関１が稼動中は、各潤滑部位にオイルが供給されて、オイル面Ｓは相当程度低くなり、例えば、前下側隔壁61Ｌ，61Ｒおよび後下側隔壁62Ｌ，62Ｒより低い下層空間63にオイル面Ｓが位置することになり、このようにオイルパン２ｐの下層空間63に貯留されたオイルが車体とともに内燃機関１の揺れで流動しても、下側隔壁61Ｌ，61Ｒ，62Ｌ，62Ｒと上側隔壁65Ｌ，65Ｒ，66Ｌ，66Ｒの上下の２重の隔壁によりオイル面Ｓが抑えられて、オイルの流動が効果的に抑制される。
【００７９】
特に加減速時にオイルパン２ｐ内のオイルが前後に大きく揺れる場合、前下側隔壁61Ｌ，61Ｒの上に溜まったオイルがケース外周壁２Ls，２Rｓの前側壁内面に沿って遡ってクランク軸10が配設される前上側隔壁65Ｌ，65Ｒの上に移動するのを、ケース外周壁２Ls，２Rｓの前側壁から延出する前上側隔壁65Ｌ，65Ｒの延出基端部が阻止することができ、また後下側隔壁62Ｌ，62Ｒの上に溜まったオイルがケース外周壁２Ls，２Rｓの後側壁内面に沿って遡って変速機Ｍが配設される後上側隔壁66Ｌ，66Ｒの上に移動するのを、ケース外周壁２Ls，２Rｓの後側壁から延出する後上側隔壁66Ｌ，66Ｒの延出基端部が阻止することができるので、上側隔壁65Ｌ，65Ｒ，66Ｌ，66Ｒの上にオイルが供給されることによるクランク軸10および変速機Ｍのフリクションの増大を可及的に抑制することができる。
【００８０】
さらに、下側隔壁61Ｌ，61Ｒ，62Ｌ，62Ｒと上側隔壁65Ｌ，65Ｒ，66Ｌ，66Ｒの上下の２重の隔壁によりオイル面Ｓが抑えられることで、オイルパン２ｐの底面に沿ったオイル吸入口53が瞬間的でも露出するようなことはなく、オイルポンプ40がオイル吸入口53から空気を吸ってエア噛を生じるのを防止することができる。
【００８１】
図５および図６に示すように、本クランクケース２は、ブローバイガスを抜き易くするために変速機Ｍの上方にブリーザ室82が形成され、このブリーザ室82から気液分離されたオイルをオイルパンに戻すオイル戻し孔84がブリーザ室底壁81の後部でケース外周壁２Ls，２Rsの後側壁の上部に穿孔されているが、後上側隔壁66Ｌ，66Ｒの延出基端部により後下側隔壁62Ｌ，62Ｒの上に溜まったオイルがケース外周壁２Ls，２Rｓの後側壁内面に沿って遡ることが阻止されているので、オイル戻し孔84までオイルが遡ることはなく、オイル戻し孔84からブリーザ室82へオイルが侵入することは防止されている。
【００８２】
図５も示すように、ケース外周壁２Ls，２Rｓの前側壁から後方へ延出する前上側隔壁65Ｌ，65Ｒの延出先端と、ケース外周壁２Ls，２Rｓの後側壁から前方へ延出する後上側隔壁66Ｌ，66Ｒの延出先端との間の矩形開口68を、シフトドラム14が塞ぐように配置されるので、前後の上側隔壁65Ｌ，65Ｒ、66Ｌ，66Ｒとシフトドラム14が協働して上側隔壁65Ｌ，65Ｒ、66Ｌ，66Ｒより下方のオイルが飛散または流動してクランク軸10または変速機Ｍが配設される上側隔壁65Ｌ，65Ｒ、66Ｌ，66Ｒの上に移動するのを極力防止することができ、クランク軸10および変速機Ｍのフリクションの増大を抑制することができる。
【００８３】
特に、ケース外周壁２Ls，２Rｓの後側壁から前方へ延出する後上側隔壁66Ｌ，66Ｒの延出先端と後下側隔壁62Ｌ，62Ｒの延出先端とを結ぶ線分Ｔ上に、シフトドラム14が配置されるので、後下側隔壁62Ｌ，62Ｒと後上側隔壁66Ｌ，66Ｒとの間の後上層空間67の前側開口の上部がシフトドラム14で塞がれることになり（図５参照）、同後上層空間67に溜まったオイルが上方に飛散または流出するのが効果的に妨げられ、上側隔壁65Ｌ，65Ｒ、66Ｌ，66Ｒの上に移動するのを益々抑制することができる。
また、同後上層空間67内をシフトスピンドル37が貫通していることも、後上層空間67内のオイルの流動を抑制し、上側隔壁65Ｌ，65Ｒ、66Ｌ，66Ｒの上にオイルが移動することを極力抑制している。
【００８４】
以上のように、上側隔壁65Ｌ，65Ｒ、66Ｌ，66Ｒの上にオイルパン２ｐ内のオイルが移動することは抑制されているが、上側隔壁65Ｌ，65Ｒ、66Ｌ，66Ｒの上にクランク軸10は変速機Ｍを潤滑したオイルが集まってきて溜まる。
図５および図６に示すように、ミッション室２Ｍにおける変速機Ｍの下方の後上側隔壁66Ｌ，66Ｒは、クランク軸10より上方に配置されるカウンタ軸13側のケース外周壁２Ls，２Rｓの後側壁から前方斜め下向きに延出して形成されるので、後上側隔壁66Ｌ，66Ｒをカウンタ歯車列13ｇとの干渉を避けながら高い位置に形成して、その下方の後側上層空間67を大きく確保することができ、同後側上層空間67にオイルを溜めて後上側隔壁66Ｌ，66Ｒの上にオイルが移動する量を減らすことができるとともに、ケース外周壁２Ls，２Rｓの後側壁から前方斜め下向きに延出した後上側隔壁66Ｌ，66Ｒの上のオイルは傾斜面を流れて延出先端から下方に流下してオイルパン２ｐに容易に戻る。
【００８５】
なお、図５および図６に示すように、後上側隔壁66Ｌ，66Ｒより後下側隔壁62Ｌ，62Ｒの方が、前方に大きく延出しているので、後上側隔壁66Ｌ，66Ｒの延出先端から流下したオイルはまず後下側隔壁62Ｌ，62Ｒにより受け止められ、直接オイルパン２ｐの下層空間63の貯留オイルのオイル面Ｓに落下しないので、泡の発生は抑制され、後下側隔壁62Ｌ，62Ｒに仕切られた下層空間63のオイルパン２ｐの底面に沿って設けられているオイル吸入口53から泡が吸入される可能性は極めて低い。
【００８６】
クランク室２Ｃにおいてクランクウエブ10ｗの回転軌跡の外周に沿って下方に湾曲した前上側隔壁65Ｌ，65Ｒの上に溜まったオイルは、前記したように、左右の上部連通口71ｌ，71ｒから左側のジェネレータ室６Ｇと右側のクラッチ室７Ｃに左右に分かれて流出されるので、クランクウエブ10ｗの回転に伴うオイルによるフリクションの増大を可及的に抑制することができる。
【００８７】
また、前上側隔壁65Ｌ，65Ｒの上のオイルは、左右の上部連通口71ｌ，71ｒから流出されるので、前上側隔壁65Ｌ，65Ｒの後端に開口した矩形開口68から下方に流下するオイルは抑えられる。
比較的に高い位置にある矩形開口68から流下するオイルは、その下方の矩形開口64に向かって流下するので、オイル面で泡を発生する可能性があり、泡が発生すると、この泡をオイル吸入口53から吸い込みオイルポンプ40がエア噛みを発生するおそれがあるが、矩形開口68から流下するオイルが抑制されることで、泡の発生が抑制されエア噛みを極力防止することができる。
【００８８】
また、図５および図６に示すように、前下側隔壁61Ｌ，61Ｒはケース外周壁２Ls，２Rｓの前側壁から後方の斜め上向きに延出していて、延出先端より延出基端の方が低い位置にあるので、前下側隔壁61Ｌ，61Ｒの上のオイルは延出基端側に溜り、殆どが右鉛直軸受壁２Rvの下部連通口72ｒから右側のクラッチ室７Ｃに流出する。
そのため、前下側隔壁61Ｌ，61Ｒの延出先端の矩形開口64からオイルパン２ｐの中央のオイル吸入口53の上へ流下するオイルの量をより一層減らすことができ、泡の発生を抑えオイル吸入口53から泡が吸入されることを極力防止することができる。
【００８９】
図９に示すように、オイルパン２ｐの下層空間63には、右側のクラッチ室７Ｃに集められたオイルが右鉛直軸受壁２Rvのオイル戻し口73から流入される。
オイル戻し口73はオイルパン２ｐの底面に比較的に近く低い位置にあり、オイルの流下で泡が発生する可能性は低いとともに、オイル戻し口73は、右寄りにあり、左右方向中央にあるオイル吸入口53から離れているので、仮にオイル戻し口73からのオイルの流入により泡が発生したとしても、オイル吸入口53に泡が吸入される可能性は極めて低い。
【００９０】
以上のように、オイル吸入口53から空気が吸入されるのをできる限り防止し、オイルポンプ40がエア噛みを発生するのを回避し、オイルポンプ40の吐出油圧の変動を抑え安定させているので、クランク軸10等の軸受に安定した供給油圧が要求されるメタルベアリング11を採用することを可能としている。
【００９１】
次に、別の実施の形態に係る内燃機関のクランクケース構造について図１０および図１１に基づいて説明する。
なお、本実施の形態の内燃機関90は、前記実施の形態の内燃機関１と左右クランクケース２Ｌ，２Ｒのクランク軸10側の前上側隔壁65Ｌ，65Ｒが異なる以外は全て同じであるので、前上側隔壁65Ｌ，65Ｒ以外は同じ符号を用いる。
【００９２】
本内燃機関90の左右クランクケース２Ｌ，２Ｒにおけるクランク軸10側の前上側隔壁91Ｌ，91Ｒは、クランクウエブ10ｗの回転軌跡の外周縁に沿って下方に湾曲して形成され、その下方のクランク軸10側の前下側隔壁61Ｌ，61Ｒと上下方向で重なる部分に欠損部92が形成されている。
【００９３】
クランクウエブ10ｗの回転軌跡の外周縁に沿って下方に湾曲して形成された前上側隔壁91Ｌ，91Ｒの上のオイルは欠損部92から下方の前下側隔壁61Ｌ，61Ｒの上に流下して前上側隔壁91Ｌ，91Ｒ上に溜まり難いので、クランク軸10の回転に伴うフリクションの増大を抑制するとともに、前下側隔壁61Ｌ，61Ｒによりオイルパン２ｐ内のオイルがクランク軸10のある上方に移動することを防止し、オイルパン２ｐ内のオイル量を容易に確保することができる。
【００９４】
クランク軸10側の前上側隔壁91Ｌ，91Ｒの欠損部92などから流下してクランク軸10側の前下側隔壁61Ｌ，61Ｒの上に溜まったオイルは、鉛直軸受壁２Lv，２Rvの前下側隔壁61Ｒの上面に沿った部分に形成された下部連通口72ｒによりケースカバー７のカバー内空間であるクラッチ室７Ｃに流出され、図９を参照して、ケースカバー７のクラッチ室７Ｃに流入したオイルが右鉛直軸受壁２Rvの前下側隔壁61Ｒより下側に形成されたオイル戻し口73によりオイルパン２ｐに戻されるので、一対の左右鉛直軸受壁２Lv，２Rvから略等距離の中央にオイルパン２ｐの底面に沿って形成されたオイル吸入口53から離れたオイル戻し口73の低い位置からオイルの戻りの流れがあって、この低い位置からのオイルの戻りの流れにより泡は発生し難く、発生したとしても右鉛直軸受壁２Rv側で生じた泡は離れた中央のオイル吸入口53から吸入されることはなく、オイルポンプ40のエア噛みを防止して油圧変動を抑えることができる。
【符号の説明】
【００９５】
１…内燃機関、２，２Ｌ，２Ｒ…クランクケース、２Lv，２Rv…鉛直軸受壁、２Ls，２Rs…ケース外周壁、２Ｃ…クランク室、２Ｍ…ミッション室、３…シリンダブロック、４…シリンダヘッド、５…シリンダヘッドカバー、６…左クランクケースカバー、６Ｇ…ジェネレータ室、７…右クランクケースカバー、７Ｃ…クラッチ室、
Ｍ…常時噛合い式歯車変速機、Ｇ…ＡＣジェネレータ、Ｃ…多板摩擦クラッチ、
10…クランク軸、11…メタルベアリング、12…メイン軸、13…カウンタ軸、14…シフトドラム、37…シフトスピンドル、
40…オイルポンプ、51Ｌ，51Ｒ…オイル吸入通路上壁、53…オイル吸入口、
61Ｌ，61Ｒ…前下側隔壁、62Ｌ，62Ｒ…後下側隔壁、63…下層空間、64…矩形開口、65Ｌ，65Ｒ…前上側隔壁、66Ｌ，66Ｒ…後上側隔壁、67…上層空間、68…矩形開口、
71ｌ，71ｒ…上部連通口、72ｌ，72ｒ…下部連通口、73…オイル戻し口、
80…ブリーザ膨出壁、81…ブリーザ室底壁、82…ブリーザ室、83…ブリーザ室入口、84…オイル戻し孔、85…ガス排出管、
90…内燃機関、91Ｌ，91Ｒ…前上側隔壁、92…欠損部。
【図１】
2011163249.tif 000003
【図２】
2011163249.tif 000004
【図３】
2011163249.tif 000005
【図４】
2011163249.tif 000006
【図５】
2011163249.tif 000007
【図６】
2011163249.tif 000008
【図７】
2011163249.tif 000009
【図８】
2011163249.tif 000010
【図９】
2011163249.tif 000011
【図１０】
2011163249.tif 000012
【図１１】
2011163249.tif 000013